(57)【要約】  患者の胸壁の近くに位置するものを含む、全乳房の病変検出のための高能率的なＰＥＴ乳房イメージャ。乳房イメージャは画像化乳房を囲むリング状の撮像モジュールを備える。各撮像モジュールはガンマ線センサと光電検出器の間に挿入された傾斜イメージング光導体を含んでいる。該傾斜光導体は、ガンマ放射線センサが胸壁の皮膚に極めて接近して置かれることを可能にし、その結果乳房の付け根へイメージャの感受性領域を拡張させる。いくつかのタイプの光電検出器が検出器モジュールにおける使用のために提案されていて、好ましい選択としてコンパクトなシリコン光電子増倍管が高いコンパクト性のため挙げられている。検出器ヘッドの幾何的配置、検出器リングの配置は、不感領域を有意に減少させ、胸壁の近くに位置する病変の検出効率を改良する。【選択図】          図５
2012514734.tif 000002
【特許請求の範囲】
【請求項１】
患者の胸壁の近くに位置する病変の効率的検出のための乳房イメージャであって、
腹位で患者を受けるためのテーブルであって、患者の乳房を受けるための下向きに延びる開放管体を含む前記テーブル；
前記管体中の乳房を囲むガンマ線検出モジュールで構成された１個以上のリング；および、
前記ガンマ線検出モジュールの前記読み出し装置から撮像データを受け付けるデータ収集システム
を有する乳房イメージャにして、
前記ガンマ線検出モジュールの各々が、
前記の開放管体に隣接したシンチレータセンサと；
前記シンチレータセンサから延びる傾斜イメージング光導体と；
前記光導体から延びる光電子増倍管と；
前記光電子増倍管に接続された読み出し装置と；
を含む、上記乳房イメージャ。
【請求項２】
請求項１の乳房イメージャであって、
前記乳房イメージャはシンチレータセンサで吸収された５１１ｋｅＶのガンマ線により生成されたシンチレーション光を検出し；
そして
前記乳房イメージャは２ｍｍまたはそれ以上に良い空間分解能を備える、
上記乳房イメージャ。
【請求項３】
請求項１の乳房イメージャであって、
前記検出モジュールは先端面と、該先端面で検出効率が急落するデッドエッジとを含んでおり；
前記傾斜イメージング光導体は傾き角が５〜４５の度であり；
そして
前記傾斜イメージング光導体は画像のサイドシフトを可能にし、該画像のシフトは前記検出モジュール一面側で前記エッジの排除を可能にする、
ことを特徴とする上記乳房イメージャ。
【請求項４】
請求項１の乳房イメージャであって、ガンマ線検出モジュールの前記１個以上のリングが、垂直方向に患者の胸壁に向かってそして胸壁から離れるように走査されることが可能で、そのため乳房全体の撮像が可能である、上記乳房イメージャ。
【請求項５】
請求項１の乳房イメージャであって、
前記乳房イメージャはガンマ線検出モジュールの前記リングを３個以上備え；
ガンマ線検出モジュールの前記複数のリングは前記テーブルに対して静止しており；そして、
前記複数の静止リングは、前記テーブルに対して一つの位置に固定されている前記ガンマ検出モジュールで乳房全体の撮像を可能にする、
ことを特徴とする上記乳房イメージャ。
【請求項６】
請求項１の乳房イメージャであって、
ガンマ線検出モジュールの前記複数のリングが２つ以上のリングセクターに分割され、それらのリングセクターの各々がそれ自身の上にガンマ線検出モジュールを有しており；
そして
前記ガンマ線検出モジュールを含む前記リングセクターが乳房の周りで回転させられて、改良された３Ｄトモグラフィ再構成のためのより角度のある視野を提供する；
ことを特徴とする乳房イメージャ。
【請求項７】
請求項１の乳房イメージャであって、前記ガンマ線検出モジュールが、
アレイ状の、４つの丸いＰＭＴを有するシンチレーションモジュール；
そして
前記シンチレーションモジュールと前記丸いＰＭＴの間に直接結合モードで結合される傾斜光ファイバー光導体；
を有することを特徴とする乳房イメージャ。
【請求項８】
請求項１の乳房イメージャであって、前記シンチレータセンサが高阻止能板状結晶シンチレータ材料およびピクセル化した高阻止能結晶シンチレータ材料を含む群から選択されることを特徴とする乳房イメージャ。
【請求項９】
請求項１の乳房イメージャであって、
前記シンチレータセンサはピクセル化した高阻止能結晶シンチレータ材料で作製され；
そして
前記ピクセル化高阻止能結晶シンチレータ材料が、ＬＳＯ，  ＬＹＳＯ，  ＬｕＡＰ，  ＬＦＳ，  ＧＳＯ，  ＧＹＳＯ，  ＢＧＯ，  ＮａＩ  （Ｔｌ）、およびＬａＢｒ３を含む群から選択されることを特徴とする乳房イメージャ。
【請求項１０】
請求項１の乳房イメージャであって、
前記リングは前記テーブルの中に埋め込まれ、前記ガンマ線検出モジュールの端を直接胸壁に位置づけることを可能にしており；
前記リングと前記ガンマ線検出モジュールとの幾何的配置が前記乳房イメージャの不感領域を有意に減少させる；
ことを特徴とする乳房イメージャ。
【請求項１１】
請求項１の乳房イメージャであって、前記テーブルが炭素繊維マトリツクス、プラスチック、および軽量金属を含む群から選択された材料で作製されていることを特徴とする乳房イメージャ。
【請求項１２】
請求項１の乳房イメージャであって、前記光電子増倍管が、標準の正方形光電子増倍管、標準の丸い光電子増倍管、多元素光電子増倍管、位置検出型フラットパネル光電子増倍管、位置検出型のマイクロチャネルプレートベースの光電子増倍管、抵抗性読み出し装置を有する大型アバランシェフォトダイオード、およびシリコン光電子増倍管アレイを含む群から選択されることを特徴とする乳房イメージャ。
【請求項１３】
請求項１の乳房イメージであって、前記傾斜イメージング光導体材料が、ガラス、クォーツ、ポリスチレン、アクリル、ポリビニルトルエン、および細径ＴＥＦＬＯＮＲ管に収容された液体コア光導体を含む群から選択されることを特徴とする乳房イメージャ。
【請求項１４】
請求項１の乳房イメージャであって、
前記傾斜イメージング光導体がアレイ状の個々の光導体要素を含み；
前記光導体要素が１０ミクロン〜３ｍｍの間の直径または正方形輪郭（プロフィール）を含んでいる、ことを特徴とする乳房イメージャ。
【請求項１５】
請求項１の乳房イメージャであって、前記光電子増倍管がコンパクトなシリコン光電子増倍管アレイであることを特徴とする乳房イメージャ。
【請求項１６】
請求項１の乳房イメージャであって、
前記シンチレーションセンサと前記光導体の間にある光学窓を有し；
前記光学窓は、前記光導体を通しての光の伝達を高める；
ことを特徴とする乳房イメージャ。
【請求項１７】
請求項１の乳房イメージャであって、前記光導体と前記光電子増倍管の間に光学窓を有することを特徴とする乳房イメージャ。
【請求項１８】
請求項１の乳房イメージャであって、
前記光電子増倍管が、アレイ状の３ｍｍｘ３ｍｍシリコン光検出器ユニットであり；
前記シリコンユニットは１６ユニットの４ｘ４アレイに配列されて、基本の突合せ可能なシリコンＰＭＴモジュールを形成しており；
前記の基本の突合せ可能なシリコンＰＭＴモジュールの４つが２ｘ２アレイ状に配列されて、名目１インチ四方の光検出器が形成される；
ことを特徴とする乳房イメージャ。
【請求項１９】
患者の胸壁の近くに位置する病変の効率的検出のための乳房イメージャであって、
腹位で患者を受けるためのテーブルであって、患者の乳房を受けるための下向きに延びる開放管体を含む前記テーブル；
前記開放管体を囲むガンマ線検出モジュールで構成された１個以上のリング；および、
前記ガンマ線検出モジュールの前記読み出し装置から撮像データを受け付けるデータ収集システム
を有する乳房イメージャにして、
前記ガンマ線検出モジュールの各々が、
前記の開放管体に隣接したシンチレータセンサと；
前記シンチレータセンサから延びる傾斜イメージング光導体と；
前記光導体から延びる光電子増倍管にして、アレイ状のコンパクトなシリコン光検出器ユニットを有する光電子増倍管と；
前記光電子増倍管に接続された読み出し装置と；
を含み、
ガンマ線検出モジュールの前記１個以上のリングが、患者の胸壁に向かって、そして胸壁から遠のくように垂直にスキャン可能であり；
ガンマ線検出モジュールの前記１個以上のリングが前記管体内の乳房の周りでわずかに回転可能である；
ことを特徴とする上記乳房イメージャ。
【請求項２０】
患者の胸壁の近くに位置する病変の効率的検出のための乳房イメージャであって、
腹位で患者を受けるためのテーブルであって、患者の乳房を受けるための下向きに延びる開放管体を含む前記テーブル；
前記乳房を囲むガンマ線検出モジュールで構成された３個のリング；および、
前記ガンマ線検出モジュールの前記読み出し装置から撮像データを受け付けるデータ収集システム
を有する乳房イメージャにして、
前記ガンマ線検出モジュールの各々が、
前記の開放管体に隣接したシンチレータセンサと；
前記シンチレータセンサから延びる傾斜イメージング光ファイバー光導体と；
前記光導体から延びる光電子増倍管と；
前記光電子増倍管に接続された読み出し装置と；
を含む、上記乳房イメージャ。
【発明の詳細な説明】
【技術分野】
【０００１】
本発明は、胸部画像、特に改良された検出効率を有する患者の胸壁の近くに位置する病変の高分解能ＰＥＴ胸部画像システムに関する。
【背景技術】
【０００２】
乳癌生物学は乳癌転移が約２ｍｍの病班サイズで始まることを示しているようである。エックス線乳房撮影は、５０マイクロメートルのオーダーで、はるかに良い固有空間分解能を提供するが、この解剖学的画像診断療法に乳房造影図で見られた疑わしげな構造のタイプ（癌か良性か、など）について特定性が劣る。ある患者では、このＸ線画像法は密度の高い胸部組織、インプラント、または以前に実行された外科の結果としての瘢痕組織のため全く役に立たない。乳房ＭＲＩは乳房撮影より構造的な情報を提供できるが、また、それは画像化された組織のタイプに関する非特異性の情報しか提供しない。乳房に存在する解剖学的構造のタイプまたは生態、特になんらかの疑わしげな病変に関する情報を提供する撮像技術は、組織に存在する分子種に敏感なバイオマーカに基づいている。これらの機能的であるかまたは分子のイメージャの例は、Ｐｏｓｉｔｒｏｎ  Ｅｍｉｓｓｉｏｎ  Ｔｏｍｏｇｒａｐｈｙ（ＰＥＴ）スキャナとガンマカメラである。これらの標準の撮像装置は、上述したように、乳房で、望ましいとされる、２ｍｍ以上の範囲の空間分解能を達成することが可能でない。したがって、１ｍｍの分解能スケールの画像化パワーを提供できる機能的画像化技術を開発することが重要である。
【０００３】
乳房の近くに置かれる専用のコンパクトなガンマカメラを含んでいる乳房特有の機能的なイメージャが提案されたが、平行ホールの機械的なコリメータおよび画像化された特徴からコリメータの表面の間の距離の影響のために分解能に物理的限界がある。標準のガンマカメラと専用の乳房特有の器具を用いる単一のガンマ胸部画像化に使用される放射性トレーサは、通常、１４０ｋｅＶでガンマ線を放つ、Ｔｃ９９ｍでラベルされたＴｃ−９９ｍ−セスタミビである。通常、平行形コリメータを使用するこれらの器具により圧迫乳房で得られる最も良い平均した直線的な空間分解能は５−６ｍｍのオーダーである。この問題への部分的な救済策は、同時に両面から圧迫乳房を画像化し、そうして乳房の体積におけるどんな特徴から最も近いコリメータへの平均距離を変えることである。しかしながら、この場合さえ、２ｍｍのリミットは、コリメータ分解能と感度の間の相互関係で実際に利用可能でない。２．５ｃｍ距離で２ｍｍの空間分解能を提供する平行コリメータは利用可能であるが、それらの感度が低過ぎ、得られるイメージはあまりに多くの統計ノイズを示すため、小さい癌の病変の効率的検出はできない。ピンホールコリメータを有する他の撮像方法がより良い空間分解能をえるように提案されたけれども、ピンホールガンマコリメータの機能による低感度という問題がある。
【０００４】
ＦＤＡの承認された専用の乳房ＰＥＴイメージャがサンディエゴ（カリフォルニア）のＮａｖｉｓｃａｎ ＰＥＴSystemsから入手可能である。これらの器具は、例えば、Ｆ−１８−フルオロデオキシグルコース（ＦＤＧ）バイオマーカに使用される、Ｆ−１８ポジトロン放出放射線識別ラベルで、＜２ｍｍのＦＷＨＭ（半値全幅）の空間分解能を達成することが可能である。しかしながら、それらは同時ＰＥＴ同時イメージング(coincidence PET coincidence imaging)という物理学プロセスに関連する別の問題を伴い、その結果、胸壁近くの乳房の部分で低感度である。ＰＥＴ検出効率が、周囲の胸部組織の電子の１つによる陽電子消滅の行為で生産される、２つの連続した５１１ｋｅＶの消滅ガンマ線の同時検出という幾何学的な要請のため、検出器端部で急速に低下する。このため、該システムの先端面に近づくと、検出効率にデッドエッジ、即ち、鋭い低下が生じる。相対的に、シングルフォトンイメージングは同じ程度には胸壁効果をこうむらず、そして、さらに、例えば不感領域効果をさらに減少させるスラントコリメーター溶液を使用できる。この幾何学的効果は、最近の臨床試験研究で、壁胸部に近い、乳房の付け根に位置する検出損なった病変の原因として定義された。これは、したがって、現在プラナー走査モジュールで実施されている専用ＰＥＴ乳房撮像法の深刻な限界であり、認識された欠陥である。
【０００５】
従来技術の胸部撮像ＰＥＴシステムの別の例はＲＲ  Ｒａｙｌｍａｎその他により、Ｄｅｖｅｌｏｐｍｅｎｔ  ｏｆ  ａ  Ｄｅｄｉｃａｔｅｄ  Ｐｏｓｉｔｒｏｎ  Ｅｍｉｓｓｉｏｎ  Ｔｏｍｏｇｒａｐｈｙ  Ｓｙｓｔｅｍ  ｆｏｒ  ｔｈｅ  Ｄｅｔｅｃｔｉｏｎ  ａｎｄ  Ｂｉｏｐｓｙ  ｏｆ  Ｂｒｅａｓｔ  Ｃａｎｃｅｒ，  ＮＩＭＡ，  ２００６、564(2):291-295（非特許文献１）、に説明されているものである。該撮像システムは患者のベッドの下で回転するガントリーの上に取り付けられた２組のプラナーＰＥＴイメージャモジュールを含んでいる。したがって、そして、この提案システムの２対のモジュールは患者の胸壁に向かって制限されたリーチしか有しておらず、胸壁に最も近い乳房部分を画像化することができない。
【先行技術文献】
【非特許文献】
【０００６】
【非特許文献１】Ｄｅｖｅｌｏｐｍｅｎｔ  ｏｆ  ａ  Ｄｅｄｉｃａｔｅｄ  Ｐｏｓｉｔｒｏｎ  Ｅｍｉｓｓｉｏｎ  Ｔｏｍｏｇｒａｐｈｙ  Ｓｙｓｔｅｍ  ｆｏｒ  ｔｈｅ  Ｄｅｔｅｃｔｉｏｎ  ａｎｄ  Ｂｉｏｐｓｙ  ｏｆ  Ｂｒｅａｓｔ  Ｃａｎｃｅｒ，  ＮＩＭＡ，  ２００６、564(2):291-295
【発明の概要】
【発明が解決しようとする課題】
【０００７】
患者の胸壁の近くの乳房の部分に位置する検出漏れする病変という、専用ＰＥＴ乳房イメージャに伴う問題を改善するために方法、装置を提案する。
【課題を解決するための手段】
【０００８】
高能率的な乳房イメージャは画像化される乳房を囲むリング状の検出モジュールを備える。各撮像モジュールで、傾斜イメージング光導体はガンマ線シンチレータセンサと光電検出器の間に挿入される。傾斜光導体要素はガンマセンサを胸壁の皮膚に非常に厳密な近接に配置されることを可能にし、その結果、乳房の付け根へイメージャの感受性領域を拡張する。いくつかのタイプの光電検出器が、該検出器モジュールに使用するために、新規でコンパクトなシリコン光電子増倍管とともに、好ましい選択と高いコンパクト性のゆえに提案される。
【発明の効果】
【０００９】
（目的および利点）
いくつかの利点が以下を含む本発明の乳房イメージャと共に達成される。
(1)乳房イメージャは複数のイメージャモジュールから造られ、該各モジュールは傾斜光学光ファイバー光導体をシンチレータセンサと光電検出器の間に挿入させた形で有し、シンチレーションセンサを非常に胸壁の近くに、ほとんど患者の皮膚に触れるほどに配置することを可能にする。
(2)乳房イメージャはリングの形で配置される、そして、該リングは適切に形成された患者のベッドに埋め込まれ、検出モジュールの端部を直接胸壁に位置づけることを可能にする。
(3)検出器ヘッドの幾何的配置、検出器リングの配置は従来のＰＥＴシステムと比較して個々の検出器ヘッド間の不感領域を有意に減少させ、それゆえに静的な撮像を可能にする。
(4)検出器リングは、胸部の周りでの制限された角度の回転と、該胸壁に向かってあるいは胸壁から離れるように垂直な走査とを可能にする走査システムに付属したディスクに取り付けられていて、乳房全体の画像化を可能にする。
【００１０】
本発明のこれらと他の目的および利点は、図面を参照しながらの、以下の説明を読むことによって、より理解される。
【図面の簡単な説明】
【００１１】
図１は側臥位の乳房を見る１セットの検出器モジュールを含む本発明のイメージャシステムの１つの変形の端面図であり、検出器ヘッドが、胸壁に近い乳房部分の病変の効率的検出が可能であるように胸壁の縁部を越えて持ち上げられている。
【００１２】
図２はアレイ状に配列されたプラスチックファイバで作られた光学光導体でＰｏｓｉｔｉｏｎ  Ｓｅｎｓｉｔｉｖｅ  ＰＭＴと結合されたシンチレータアレイを含む、本発明による好ましい撮像モジュールの側面図である。
【００１３】
図３はイメージャリングを通した断面図であり、胸壁に対するイメージャモジュールのスラストを説明する、患者のベッドの一部である。
【００１４】
図４は本発明による撮像システムの断面図であって、患者の垂れた乳房が患者のベッドの管体部分に挿入されていて、円状の撮像モジュールが該管体を囲んでいる図である。
【００１５】
図５は、撮像モジュールの２個のリングを含む、本発明による撮像システムの側面図である。
【００１６】
図６Ａは、薄肉管を囲むリング状のイメージング検出器を含んでいる本発明による撮像システムの平面図であり、検出器のリングを垂直軸に沿って走査するかまたは移動させて乳房の全体積を走査でき、検出器のリングは薄肉管の周りでわずかに回転できて、３Ｄトモグラフィ再構成に必要なすべての角度の視野の図を提供する図である。
【００１７】
図６Ｂは本発明による撮像システムであって、２つのリングセクターを含み、該検出器は乳房の周りで回転させられて、３Ｄトモグラフィ再構成に必要なすべての必要な角度の平面図を提供する。
【００１８】
図７は、標準の直接結合モードでシンチレータブロックと結合された、アレイ状の、４つの標準の正方形または丸いＰＭＴを有するシンチレーションモジュールの断面図である。
【００１９】
図８は、図７の４つの標準の正方形のまたは丸いＰＭＴに適用して本発明による専用ＰＥＴ乳房イメージャに標準のＰＭＴの使用を可能にする、傾斜光ファイバー光導体の適用を示す断面図である。
【００２０】
図９はアレイ状の１６の、３ｍｍｘ３ｍｍ読み出しピクセルまたは４×４アレイに配置されたパッドで構成された基本の第１の１２．５ｍｍのシリコンＰＭＴ撮像モジュールを表現する。
【００２１】
図１０は図９の基本の４サイド突合せ可能なモジュールの２×２からなるアレイであって、一緒に接合されて約１インチ四方の光電検出器を形成するものを示す。
【００２２】
図１１は１６（４×４のアレイ状）の基本撮像モジュールを配置することによって実施できるさらに大きいモジュールを示す。
【００２３】
図１２は本発明による撮像システムの斜視図であり、商業的に入手可能な検出素子使用することで２．５ｃｍを超え、５ｃｍ高い有効視野(active field of view)を形成した小型基本形（プロトタイプ）検出器を含む。
【発明を実施するための形態】
【００２４】
図１を見ると、本発明の胸部画像システム２０の最初の実施形態が示され、側臥位で乳房２４を見る１セットの光検出器モジュール２２を含み、検出器ヘッドが胸壁２６の縁部を越えて持ち上げられて、胸壁に近い乳房部分での病変の効率的検出を可能にするようになっている。該撮像システムは検出器ヘッド２２がさらに離れて置かれた側方イメージング幾何学的配置を有し、検出器ヘッド２２が胸壁２６の縁部を越えて持ち上げられて、胸壁２６に近い乳房部分での病変の効率的検出を可能にするようになっている。軽量の患者のベッド２８（望ましくは、固いプラスチックまたは炭素繊維マトリツクスでできている）は、検出器ヘッド２２を胸壁２６より高く配置するのを容易にするシリンダの部分に近似する形を有する。
【００２５】
本発明の撮像システムの２番目と好適実施形態であって、画像化する乳房を囲むリング状の検出モジュールを含んで、かつ、端部のデッドスペースを最小にするようにに設計されている。図２を見ると、アレイ状に配列されたプラスチックファイバでできた光学光導体３４を介して位置検出型ＰＭＴ３２に結合されたシンチレータアレイ３０に基づくイメージングまたは検出器モジュール２２が示されている。光導体３４の傾斜形は、シンチレーションセンサ素子３０の端部が光検出器モジュール２２の上端３８を画定する面３６の上に置かれるのを可能にする。こうして検出器モジュール３０が患者の胸壁に向かってはみ出る。各撮像モジュール２２において、傾斜イメージング光導体３４は、ガンマ放射線センサまたはシンチレータ３０と光電検出器３２との間に挿入される。光導体３４はガンマセンサ３０がほとんど直接に胸壁（図３を見る）の皮膚のそばに置かれるのを可能にし、そのため、それらガンマセンサはイメージャの感受性領域を乳房の付け根へ拡張できる。望ましくは、傾斜イメージング光導体３４は、５〜４５度の傾き角、最も好ましは１０度の傾き角を有するマルチ光ファイバー光導体である。ＰＭＴ３２の片端に電子読み出し装置３９が備わる。
【００２６】
図３における撮像システムまたは乳房イメージャ４０を見ると、イメージャまたはスキャナリング４２、および、患者の胸壁２６に対してスラストになるようにイメージャモジュール４６を配置することを示す患者のベッド４４の一部を通した断面図は示される。成形ベッド４４、インナー管体４８、およびサイドハウジング（図示せず）はスキャナリング４２を囲む。その囲みの中で、スキャナリング４２を小角で回転し、方向の矢４９で示すように上下に走査でき、画像化乳房２４を十分にカバーし光検出器モジュール４６による角度サンプリングを提供する。望ましくは、患者のベッド４４は薄い複合材料またはプラスチックで構築される。患者のベッド４４は患者が快適であるように最上部に緩衝材を含んでいる。インナー管体４８の端部の緩衝材は薄いイメージャリング４２が胸壁２６に近接して配置されるのを可能にするように成形される。あるいはまた、図４に示されているように、本発明の乳房撮像システムと共に従来のテーブル４７を使用でき、例えば、コア生検処置で使用される、Ｌｏｒａｄ社、ダンベリー、コネチカット州から入手可能なテーブルなどのように。
【００２７】
図４に関して、本発明による胸部画像システム５０の最初の実施形態は示されている。患者は管体４８を囲む環状の撮像モジュール４６円筒状の薄肉管４８の中にうつむけに垂れた乳房２４を差込んでいる。乳房撮像システム５０のこの実施形態では、光検出器モジュール４６の一リング４２が備わり、リング４２は矢印線４９に沿って垂直軸上を走査または動かして乳房２４の全体積を走査する。光検出器モジュール４６は薄肉管４８の周りでわずかに回転できる。
【００２８】
乳房撮像システム６０の２番目の実施形態は図５に表現される。図５に表現された実施形態では、上部イメージングリング６２と下部イメージングリング６４を含む、２リングの撮像モジュール４６が提供され、乳房２４の全体積をカバーするように、メージングリング６２と６４のセット全体を移動させることができる。この特定の実施形態においてＰＭＴ視野計６６のデッドエッジのために２個のイメージングリング６２と６４の間に小さい物理的ギャップ６８が生じる。ギャップ６８の影響は再構成画像の最終品質では最小限である。所望であれば、垂直走査の必要性を排除し、また検出器リングの動きを必要とせずに乳房の全体積をカバーするように、追加検出器リングを加えて３個以上のリング（図示せず）を有する乳房撮像システムを作成することができる。
【００２９】
本発明の胸部画像システムでは、画像化されるべき乳房は、図５に示されているように、患者のベッド４４のインナー管体４８を通してぶら下がる。撮像処置のための代替の実施形態では、特にイメージガイド下生検のために乳房を固定するとき、乳房の圧迫を含むことになろう。いくつかの配置が乳房不動に利用可能である。プラスチック容器またはバッグに乳房を置配置する、小さい圧力差で大気圧未満圧力を加える、など。圧力差は低出力ポンプによって作られるだろう。乳房不動の代替の装置は、Ｋａｒｉｍｉａｎ他によって提案されるように、視野（ＦＯＶ）の中心に下垂乳房を固定するための真空ポンプを含む（”ＣＹＢＰＥＴ”Ｐｈｙｓｉｃｓ  Ｒｅｓｅａｒｃｈ  Ａ５４５（２００５）４２７−４３５の「胸部画像の円柱のＰＥＴシステム」、Ｎｕｃｌｅａｒ  Ｉｎｓｔｒｕｍｅｎｔｓ、および方法）。その例では、大体の２０センチメータの呼び径（ほとんどすべての成人女性乳房サイズに適している）が、薄い軟質のプラスチック膜の中で穏やかに減少させた圧力下で個々の下垂乳房を包囲する。
【００３０】
図６Ａに、本発明による撮像システム７０の第二のそして好適な実施形態の平面図が示されている。胸部画像システム７０は乳房（図示せず）が置かれる薄肉管７３を囲む撮像モジュール７２のリング７１を含んでいる。各撮像モジュール７２はシンチレータセンサ７４、光ファイバー光導体７５、光導体７５のいずれかの端部にある光学窓７６を含んでいる、そして、ＰＭＴエンクロージャ７７マットはＰＭＴと関連電子装置を含んでいる。
【００３１】
図６Ｂは図６Ａの撮像システムに類似する撮像システム７８の３番目の実施形態の平面図を示すが、撮像モジュール７２が２つのイメージングリングセクター７９Ａと７９Bの状態にある。撮像モジュール７２は３Ｄトモグラフィ再構成に必要なすべての角度視野を提供するように乳房（図示せず）の周りで回転する。乳房イメージャ７８のこの実施形態は、２つのイメージングリングセクター79A 及び79B だけで構成された経済的な配置である。乳房イメージャ７８のこの実施形態は、生険デバイスをインストールするための便利な側口８０を提供する。イメージャ７８は乳房を画像化している間、生険処置を実行する便利さを提供する。放射性チップ生検針（図示せず）を使用することによって、該生検針チップは撮像システム７８により病変へ誘導される。
【００３２】
図２を参照すると、本発明による専用乳房ＰＥＴイメージャはいくつかの画像技術を備えることができる。溶液の好ましい一般型は５１１ｋｅＶの消滅ガンマ線のセンサ／エネルギ変換器としてシンチレータセンサ３０を有するが、シンチレータガンマセンサ３０では種々の光電検出器３２が吸収された５１１ｋｅＶガンマ線により発生したシンチレーション光の検出器として役立つことができる。シンチレータセンサ３０は、プレートまたはピクセル化アレイ結晶シンチレータ材料からを作ることができる。最も望ましくは、シンチレータセンサ３０はＬＳＯ，  ＬＹＳＯ，  ＬｕＡＰ，  ＬＦＳ，  ＧＳＯ，  ＧＹＳＯ，  ＢＧＯ，  ＮａＩ  （Ｔｌ）、またはＬａＢｒ３などのピクセル化した、高い阻止能結晶シンチレータ材料からつくられる。光電検出器３２は、標準の若しくは多元素の(multi-element)光電子増倍管または位置検出型(position sensitive)、フラットパネルまたはマイクロチャネルプレート系の光電子増倍管でもよい。あるいはまた、光電検出器３２は、抵抗性読み出し装置を有するアバランシェフォトダイオードアレイまたは大型アバランシェフォトダイオードでもよい。別の代替手段として、光電検出器３２はシリコン光電子増倍管でもよい。商業的に入手可能なフラットパネル光電子増倍管の例は、ブリッジウォーター（ニュージャージー州）のＨａｍａｍａｔｓｕ社からのモデルＨ８５００またはＨ９５００またはスターブリッジ（マサチューセッツ州）のＰｈｏｔｏｎｉｓ  ＵＳＡ，  Ｉｎｃ．から入手可能な８５０００シリーズのいくつかのモデルである。これらの位置検出型光電子増倍管には、それぞれおよそ５ｃｍｘ５ｃｍの活性表面積がある。
【００３３】
外部の検出器ヘッドの基本検出モジュール２２のより経済的な代替の解決は、ＰｈｏｔｏｎｉｓＩｎｃ．（米国）から入手可能な小さいプロフィールで２インチ四方の９元素ＸＰ  １４７０  ＰＭＴなどの多元素ＰＭＴに基づくことができる。しかしながら達成された固有空間分解能は、２ｍｍピッチのシンチレーションピクセルにたいしてわずかに満足できるだけ下も知れない。さらに、これらのＰＭＴはＨａｍａｍａｔｓｕ  Ｈ８５００フラットパネルＰＭＴよりはるかに遅い、主として個々の９個のインナーチャンネル間での時間シフトのためである。ＸＰ１４７０  ＰＭＴに構築されたシステムの別の難点は、実に大きくかさばることである。
【００３４】
図７と８に関して、本発明によるへりのない検出器設計を形成するのに標準の正方形のＰＭＴを使用でき、丸いＰＭＴでさえ使用できる。図７はシンチレーションモジュール８１の断面図であり、アレイ状の２×２の標準の丸いＰＭＴ８２が標準の直接結合モードでシンチレータブロック８４と結合されている。この例では、デッドエッジ部が、標準の直接結合モードで使用された際に、位置検出型（Ｐｏｓｉｔｉｏｎ  Ｓｅｎｓｉｔｉｖｅ）ＰＭＴの場合よりはるかに大きい。それにもかかわらず、図８に示されるように、傾斜光ファイバー光導体８６の適用によって、本発明の専用ＰＥＴ乳房イメージに使用できるシンチレータブロック８８を作り出せる。図８は、図７の４つの標準の丸いＰＭＴ８２に適用された傾斜光ファイバーライトガイド８６の適用を表現する断面図であり、本発明による専用ＰＥＴ乳房イメージャに丸いＰＭＴ８２の使用が可能になっている。二層ｐｈｏｓｗｉｔｃｈシンチレータ例（シーメンス高解像脳ＰＥＴ  ＨＲＲＴ検出器モジュール設計から引用）であって、上部に長さ１０ｍｍ長でＬＹＳＯの２ｘ２ｍｍシンチレーションピクセルを有し、下部がＬＳＯからなる２層と、特別に成形された光導体８９を備えたものを示す。
【００３５】
以下に記載するような種々の材料から本発明による傾斜光導体８６を構成できる。ガラス、クォーツ、ポリスチレン、アクリル、ポリビニルトルエン（ＰＶＴ）、または液体コア(liquid core)光導体を含むプラスチック。材料によって、光導体要素は１０ミクロンから３ｍｍまでのサイズまたは直径の範囲でまっすぐでも曲がっていてもよい。これらの個々の光導体要素またはファイバーの密で規則的に配列されたアレイは、横断方向サイズが光検出器モジュールのサイズにマッチしている傾斜軽量光導体を形成する。例えば、Ｈ８５００またはＨ９５００フラットパネルＰＭＴの場合では、約５２ｍｍ四方のサイズは望ましい。光導体８６の長さは、数センチメートルから２０センチメートル以上でよい。さらに、シンチレーション要素８４と光導体８６との間に、ならびに、光導体８６と光電検出器８２の表面との間に、光学窓８９を導入して、ファイバーまたは光導体８６を形成する他の個々の要素のアレイに、該光信号を受け付け、伝送し、配送するのを助けることができる。例えば、シンチレーションアレイの場合には、シンチレータ８４と光導体８６の両方の量子化された性質のため、そのようなウィンドウがシンチレーション光をそれぞれのシンチレーションアレイピクセルからより多くのファイバーに広げるのを助けて、ピクセルからピクセルへのサンプリング均一性を改良することができる。光学窓の好ましい構築材料はガラス、クォーツ、およびプラスチックを含んでいる。光ファイバーウィンドウは、まっすぐでもテーパ状でもよい。シンチレーションアレイ８４は、軽い密封性と機械的保護のための保護のシートまたはシェルとして厚さ約１ｍｍのアルミまたは同等物で構成された光に密な(light-tight)ウィンドウ（図示せず）を含むことができる。望ましくは、プラスチック若しくは金属のシェルまたはシンチレーションアレイ８４の前に開口を有するボックス（図示せず）が、検出器モジュールを収容するのに使用される。本発明による乳房イメージャでは、図５のリング６２と６４などの全リングのモジュールが薄い外側表皮（図示せず）によって保護されて、患者のベッド内に構築される。
【００３６】
図３に関して、患者の胸壁の近くに位置する病変に対して改良された検出効率を有する、高解像胸部画像システムのための具体的実施形態は、個別の検出モジュールのリング４２を含んでいて、Ｈａｍａｍａｔｓｕ  Ｈ８５００フラットパネルＰＭＴ４６に基づいたそれぞれが２．１ｍｍのピッチで２４×２４のLYSO 2x2x15mm ピクセルからなるアレイ３４に結合されている。各モジュール４６には、４つのアナログ位置アウトプットと１つ高速エネルギーアウトプットがある。該位置アウトプットは記録され、ＤＡＱシステムでデジタル化され、相互作用する５１１ｋｅＶのガンマ線の位置を算出する。該高速合計信号が、トリガー電子装置で同時事象トリガーを作成するのに使用され、その後ＤＡＱシステムに提供されて検出器モジュールから事象データは記録される。最適のオンボード読み出し装置の設計は、高エネルギーと空間分解能と最少の読み出しチャンネル数での高率性能を保証するＰＭＴ利得均一性補正を含んでいる。
【００３７】
本発明による乳房イメージャでは、シリコンＰＭＴは、光電検出器のための好ましい材料であり、位置検出型ＰＭＴの代わりに使用できる。通常、シリコンＰＭＴモジュールはサイズ約３ｍｍの小ユニットでもたらされる。したがって、これらのデバイスのアレイは、同じ有効視野(active field)をカバーするのに必要である。図９−１１は、おのおの１６個の３ｍｍシリコンＰＭＴユニット９４からなる名目１２．５ｍｍシリコンＰＭＴ基本撮像モジュール９２（図９）を使用して、シリコンＰＭＴベースの、約５ｃｍｘ５ｃｍ有効視野の光電検出器９０（図１１）の達成方法の例を示している。図９に示すように、基本の第１の撮像モジュール９２は、４×４アレイに配列された、アレイ状の１６個の３ｍｍｘ３ｍｍ読み出しピクセルまたはパッド９４を有しうる。該３ｍｍのパッドまたはユニット９４は、図９の中央と下部にそれぞれ概念的に示すように、４つのパッド９４が１つの読み出しチャンネル９５に（粗くは９６に）連結された状態で（全１６個のパッド９４が１つの読み出しチャンネル９６に接続された状態で）読まれ得る。図１０に示すように、これらの基本の４サイド突合せ可能なモジュール（８×８＝６４の３ｍｍシリコンＰＭＴユニットからなる）の２×２のアレイが約１インチ四方の光電検出器９７を形成するが、これは商業的に入手可能なＨａｍａｍａｔｓｕ  Ｒ８５２０−Ｃ１２  ＰＳＰＭＴと同等のものである。およそ１ｍｍのデッドスペースが端部にある状態で、基本撮像モジュール９２は４サイドで突合せ可能である。図１１に示されるように、望ましくは、光検出器モジュールは、４×４の基本モジュール９２で構成された大撮像モジュール９０に配置されるが、そのとき、適用範囲と読み出し装置の必要性は上述したようにＨ８５００またはＨ９５００フラットパネルＰＭＴと同等である。大撮像モジュール９０は、例えば、大体５ｃｍｘ５ｃｍ活性表面を有する、Ｈ８５００／Ｈ９５００フラットパネルＰＭＴにプラグイン交換用のモジュールとして使用することができる。基本的なモジュールの間の不感領域９８は幅約１−２ｍｍになり、これにより均一なエネルギーと空間応答にとり適切なシンチレーション信号が可能になる。
【００３８】
図１２に、小さいシリコン光電子増倍管センサを有する本発明に従ってつくられた検出モジュールの概念図を示す。この実施例に使用される検出器は、Ｈａｍａｍａｔｓｕからの３ｘ３ｍｍ−ＭＰＰＣ−ＳＭＤパッケージである。図１２は、Ｈａｍａｍａｔｓｕ  Ｓ  １０３６２−３３シリコンマルチピクセル光子計数管（ＭＰＰＣ）１０２を用いる、小型検出器モジュール１００の形成を描く概念図である。検出モジュールはシンチレータアレイ１０４、傾斜光ファイバー光導体１０６、およびシリコンＰＭＴアレイ１０８を含んでいる。各検出素子１０２はアレイ１０８で約５ｍｍ四方の面積を占める。図１２に表現された実施例では、２．５ｃｍを越え（幅）、５ｃｍ（高さ）の有効視野が、２つのＲ８５２０−Ｃ１２  ＰＳＰＭＴを１セットまたはＨ８５００／Ｈ９５００半分のフラットパネルＰＭＴに同等な、６×１１シリコンＰＭＴアレイ１０８でカバーされている。傾斜光ファイバー光導体１０６を介してシンチレーションアレイ１０４を光検出器アレイ１０８と結合することによって、シンチレーションアレイの読み出し装置が得られる。５ｍｍのサンプリング・ピッチ、および、およそ３ｍｍｘ３ｍｍの各光電検出器素子の有効サイズで、平均した活性表面の範囲は約３５％である。
【００３９】
本発明の乳房イメージャの重要で不可欠の部分は、読出し装置からの信号を受け取り、デジタル化し、次に、データ処理、データ分析および断層撮影画像再構成のためにコンピュータシステムへデジタル化データを転送するデータ収集システムである。読出し装置はイメージャモジュールのために選択された技術的解決の特定の選択に依存する。
【００４０】
本発明によるデータ集めと処理システムの第１の実施形態では、該乳房ＰＥＴイメージャはリングに１２個の検出器モジュールを配置させる。各モジュール、ピクセル化ＬＹＳＯシンチレータアレイと結合されたＨａｍａｍａｔｓｕ  Ｈ８５００フラットパネルＰＭＴを利用する。それぞれのＰＭＴ増幅器ボードは４つの位置−エンコード化アナログ信号と、１つのアナログ合計信号を、１検出器あたり合計６０個のチャンネルに供給する。トリガーは別のトリガーハードウェアモジュールに形成される。最も簡単な形のトリガー回路では、該リング中の１２のモジュールのいずれか二つが偶然同期した場合、論理同時回路はデータ収集（ＤＡＱ）ユニットに単一同時トリガーを供給する。このような機能は、例えば、多重性トリガー機能(multiplicity trigger function)を有する、Ｍｅｓｙｔｅｃ  ＧｍｂＨ，  Ｐｕｔｚｂｒｕｎｎ，  Ｇｅｒｍａｎｙから入手可能なＭｅｓｙｔｅｃ  ＭＳＣＦ−１６により得られる。
【００４１】
好ましいデータ収集システムは、ＦＰＧＡベースのＵＳＢデータ収集システムであって、２００５  ＩＥＥＥ  Ｎｕｃｌｅａｒ  Ｓｃｉｅｎｃｅ  Ｓｙｍｐｏｓｉｕｍ  Ｃｏｎｆｅｒｅｎｃｅ  Ｒｅｃｏｒｄ，  Ｐｕｅｒｔｏ  Ｒｉｃｏ，  Ｏｃｔｏｂｅｒ  ２３−２９，  ２００５，  ｐｐ．２９７１−２９７５に、Ｐｒｏｆｆｉｔｔ他により記載の”Ａ  ｆｌｅｘｉｂｌｅ  ｈｉｇｈ−ｒａｔｅ  ＵＳＢ２  ｄａｔａ  ａｃｑｕｉｓｉｔｉｏｎ  ｓｙｓｔｅｍ  ｆｏｒ  ＰＥＴ  ａｎｄ  ＳＰＥＣＴ  ｉｍａｇｉｎｇ”の記事、および、２００６  ＩＥＥＥ  Ｎｕｃｌｅａｒ  Ｓｃｉｅｎｃｅ  Ｓｙｍｐｏｓｉｕｍ  Ｃｏｎｆｅｒｅｎｃｅ  Ｒｅｃｏｒｄ，  Ｓａｎ  Ｄｉｅｇｏ，  Ｃａｌｉｆｏｒｎｉａ，  Ｏｃｔｏｂｅｒ  ２９  −Ｎｏｖｅｍｂｅｒ  １，  ２００６，  ｐｐ．  ３０６３  −３０６７に、Ｐｒｏｆｆｉｔｔ他により記載の”Ｉｍｐｌｅｍｅｎｔａｔｉｏｎ  ｏｆ  ａ  Ｈｉｇｈ−Ｒａｔｅ  ＵＳＢ  Ｄａｔａ  Ａｃｑｕｉｓｉｔｉｏｎ  Ｓｙｓｔｅｍ  ｆｏｒ  ＰＥＴ  ａｎｄ  ＳＰＥＣＴ  Ｉｍａｇｉｎｇ”の記事に記載のシステムであり、これらの文献はその全体の内容をここに援用し本明細書中に含める。ＦＰＧＡベースのＵＳＢ  ＤＡＱシステムは、１ユニットあたりの同時サンプリングＡＤＣを最大６４チャンネルまで拡張できるモジュール式で拡張性アーキテクチャを有し、全６４チャンネルについて１５０ｋＨｚを越える持続性トリガー速度を有する。マルチリング（２−３個のリング）システムの場合は、各ユニットは１リングのモジュールに対応している。各ＤＡＱユニットそれ自身の収集コンピュータへ高速ＵＳＢ上をタイムスタンプの生事象データを送る。おのおの収集コンピュータはすべての受信データについてセントロイドとエネルギーの計算を実行し、該タイムスタンプの処理データをギガビットイーサネット上をイベントビルダ／再構成コンピュータへ送る。イベントビルダは、該タイムスタンプを、別々の検出器事象を単一の同時発生事象に合併するために使用する。それは、画像再構成を実行することもできるし、または該データを別のコンピュータに画像再構成のために送ることもできる。再構成されたトモグラフィ画像のセットをユーザインタフェースコンピュータに送る。同様の機能性を有する他の読出し装置は、商業的に入手可能であり、提案された乳房イメージャからデータを記録し処理するという同じ目標を達成するのに使用できる。
【００４２】
商業的に入手可能なトモグラフィ再構成ソフトウェアパッケージの多くの変種であり、ここで説明したリングイメージャで使用できる。乳房体積全体、乳房の付け根まで、にわたって癌の病変を検出する主要な機能は、文献に記載のおよび／またはソフトウェアベンダから入手可能なこうした利用可能な再構成アルゴリズムのどれかを使用することによって達成できる。
【００４３】
例として、患者の胸壁の近くに位置する病変の検出効率を改善するために、傾斜光ファイバー光導体を有する高分解能ＰＥＴ撮像モジュールが、本発明に従ってつくられた。光ファイバー傾斜光導体を検出器モジュールで実施する思想を実験的に実証するのに基本形モジュールを使用した。基本形（プロトタイプ）光導体は、ハイラム（オハイオ州）のＳａｉｎｔ−Ｇｏｂａｉｎ  Ｃｒｙｓｔａｌｓから入手可能な２ｍｍ四方形の二重被履ポリスチレンファイバーを接着し規則的に配列された緩みのないアレイで作製した。該光導体のパラメータ、６０．５ｍｍｘ６２ｍｍの表面、５６．５ｍｍの長さ、１０度の傾き角、および結果として生じた１２ｍｍのサイドシフトであった。放射線センサまたはシンチレータ中のピクセル間の幾何学的な関係を保持しつつ、該光ファイバー光導体光を効率的に伝送した。高分解能ＰＥＴ乳房イメージャ用のこの基本形モジュールの他の部分は、Ｃｈａｇｒｉｎ  Ｆａｌｌｓ，  ＯｈｉｏのＰｒｏｔｅｕｓから入手可能な２ｘ２ｘ１０ｍｍピクセルからなる５０ｍｍｘ５０ｍｍ  ＬＹＳＯアレイと、Ｈａｍａｍａｔｓｕ社からのＨ９５００フラットパネルＰＭＴ、その他であった。乾式の光学的結合をすべての光学的平面に使用した。該高分解能ＰＥＴ乳房イメージャモジュールは、検出器モジュールのデッドエッジを迂回するかまたは排除するのに十分である１２ｍｍのシフトを達成した。これは胸壁の近くに位置する病変に対する向上した検出効率について、本発明のＰＥＴ乳房イメージャの能力を実証した。
【００４４】
ＬＹＳＯシンチレーションアレイで得られた原画像では、各シンチレーションピクセルは非常によく分離していた。Ｎａ２２源で照射すると、単一のＬＹＳＯピクセルからエネルギースペクトルが得られた。グラフで示されたエネルギースペクトルでは、５１１ｋｅＶと１２７４ｋｅＶのピークが明確に視認できた。５１１ｋｅＶでのエネルギー分解能は１６％ＦＷＨＭであった。
【００４５】
傾斜光導体を除いた場合の応答(response)と、Ｈ９５００フラットパネルＰＭＴの上面にＬＹＳＯシンチレーションアレイを直接置いた場合との比較を得た。光導体を除いた場合の原画像では、予想されたように、シンチレーションピクセルが光導体付で得られたイメージよりもより良く分離した。Ｎａ２２源で照射された単一のＬＹＳＯピクセルから得られたエネルギースペクトルでは、平均のエネルギー信号は光導体を挿入した時より約２倍高かった。５１１ｋｅＶでのエネルギー分解能は１３％ＦＷＨＭであった。
【００４６】
傾斜光導体を除いた場合の応答(response)と、Ｈ９５００フラットパネルＰＭＴの上面にＬＹＳＯシンチレーションアレイを直接置いた場合との比較。比較は次のことを示した。光導体が適所にある場合のシンチレーション信号は直接の信号の約１／２のであるが、エネルギー分解能の性能は非常に良いままであり、該空間分解能により１−３ｍｍの画素サイズで明るいシンチレータでの操作が可能となった。高分解能ＰＥＴ乳房イメージャ用のこの組み立てられた最初のモジュールの結果は、該イメージャが患者の胸壁の近くに位置する病変の検出効率を改良する能力があることを完全に確認した。該ＰＭＴのレベルで検出されたシンチレーション信号は強力で、非常に良い空間分解能と素晴らしいエネルギー性能を提供した。
【００４７】
上記の説明は多くの具体的な説明、材料、および寸法を含んでいるが、これらは本発明の範囲を限定するものと解釈するべきではなく、本発明の現在における好適実施形態のいくつかの説明を単に提供するものとして解されるべきである。したがって、本発明の範囲は、示した実施例によってではなく、添付の特許請求の範囲およびその法的均等物により決定されるべきである。
【符号の説明】
【００４８】
２０  乳房イメージャ
２２  光検出器モジュール
２４  乳房
２６  胸壁
２８  患者のベッド
３０  シンチレータセンサ
３２  位置検出型フォト増倍管（ＰＳＰＭＴ）
３４  光学光導体
３６  光検出器モジュールの上端を画定する面
３８  光検出器モジュールの上端
３９  読み出し
４０  乳房イメージャ
４２  スキャナリング
４４  患者のベッドの一部
４６  光検出器モジュールまたはイメージャモジュール
４７  患者のベッド
４８  インナー管体
４９  方向の矢
５０  乳房撮像システム、１番目の実施形態
６０  乳房撮像システム、２番目の実施形態
６２  上部イメージングリング
６４  下部イメージングリング
６６  ＰＭＴ視野計
６８  ギャップ
７０  乳房撮像システム、２番目の実施形態
７１  撮像モジュールのリング
７２  撮像モジュール
７３  薄肉管
７４  シンチレータセンサ
７５  光ファイバー光導体
７６  光学窓
７７  ＰＭＴエンクロージャ
７８  乳房撮像システム、３番目の実施形態
７９Ａ  最初のイメージングリングセクター
７９Ｂ  ２番目のイメージングリングセクター
８０  側口
８１  シンチレータモジュール
８２  丸いＰＭＴ
８４  シンチレータブロック
８６  光ファイバー光導体
８８  シンチレータブロック
９０  大シリコン撮像モジュールまたは光電検出器
９２  基本シリコン撮像モジュール
９４  ３ｍｍ基本シリコンユニットまたはパッド
９５  ４個のパッドで構成された読み出しチャンネル
９６  １６個のパッドからなる読み出しチャンネル
９７  １インチ四方の正方形シリコン光検出器
９８  不感領域
１００  シリコンＭＰＰＣを使用する小型検出器モジュール
１０２  シリコンＭＰＰＣ
１０４  シンチレータアレイ
１０６  傾斜光ファイバー光導体
１０８  シリコンＰＭＴアレイ
【図１】
2012514734.tif 000003
【図２】
2012514734.tif 000004
【図３】
2012514734.tif 000005
【図４】
2012514734.tif 000006
【図５】
2012514734.tif 000007
【図６Ａ】
2012514734.tif 000008
【図６Ｂ】
2012514734.tif 000009
【図７】
2012514734.tif 000010
【図８】
2012514734.tif 000011
【図９】
2012514734.tif 000012
【図１０】
2012514734.tif 000013
【図１１】
2012514734.tif 000014
【図１２】
2012514734.tif 000015
【国際調査報告】
2012514734.tif 000016